(57)【要約】【課題】吐止水弁を閉じてシャワーヘッドからの吐水を停止したときに、シャワーヘッド側からの圧力の跳ね返りによってウォータハンマが生ずるのを防止すべく流路の途中に逆止弁を設けた場合において、その逆止弁と吐止水弁との間で負圧が発生し、次にシャワー吐水したときに負圧発生箇所への水の流入によって異音が発生する問題を解決する。【解決手段】逆止弁７９を、弁板９０及び軸部９４を有する弁体８４と、弁座８６と、弁体８４を閉弁方向に付勢する第一スプリング１０２とを含んで構成する。その弁体８４における弁板９０には外周部に切欠部１０４を設けて圧力を逃すリーク部と成す。【選択図】        図３
2004176873.tif 000002
【特許請求の範囲】
【請求項１】
吐水部に向う流路の途中に、該吐水部からの逆流を阻止する向きに設けられる逆止弁であって
（イ）弁板及び該弁板の中心部から延び出した軸部を有する弁体と
（ロ）該弁板の外周部をシール部材を介して着座させ又は離間させる弁座と
（ハ）該弁板を前記弁座に着座させる閉弁方向に付勢する第一スプリングと
を有し、該弁板の外周部若しくは該弁座には、該弁板若しくは該弁座を軸方向に貫通する切欠部が設けられていて、該切欠部が、前記弁体より前記吐水部側の下流側から該弁体より上流側に圧力を逃すリーク部を成していることを特徴とするリーク機能付逆止弁。
【請求項２】
吐水部に向う流路の途中に、該吐水部からの逆流を阻止する向きに設けられる逆止弁であって
（イ）弁板及び該弁板の中心部から延び出した軸部を有する弁体と
（ロ）該弁板の外周部をシール部材を介して着座させ又は離間させる弁座と
（ハ）該弁板を前記弁座に着座させる閉弁方向に付勢する第一スプリングと
（ニ）弁ケースの内面にシール部材を介して軸方向に摺動可能に嵌合し、内面側に前記弁座の設けられた可動筒と
（ホ）該可動筒を前記吐水部側とは反対側の下流側に向けて付勢する第二スプリングと
を有し、前記弁ケースの内面には径方向外方に凹陥する凹部が設けてあって該凹部が、前記弁体より前記吐水部側の下流側から該弁体より上流側に圧力を逃すリーク部を成していることを特徴とするリーク機能付逆止弁。
【請求項３】
請求項２において、前記リーク部を成す凹部が、前記可動筒が所定位置まで前進移動した時点で前記シール部材に対し径方向に対向する位置に設けてあることを特徴とするリーク機能付逆止弁。
【請求項４】
請求項２，３の何れかにおいて、前記凹部が周方向に環状を成す環状溝であることを特徴とするリーク機能付逆止弁。
【請求項５】
請求項１〜４の何れかにおいて、前記逆止弁が吐止水操作部の操作に基づいて前記吐水部からの吐水と止水を行うための吐止水弁の下流部に設けてあり、該吐止水弁の止水作動後において前記吐水部側である下流側からの逆流防止とリークとを行うものであることを特徴とするリーク機能付逆止弁。
【請求項６】
請求項５において、前記吐水部がシャワーヘッドであり、前記逆止弁がシャワーホースの基端側に設けてあることを特徴とするリーク機能付逆止弁。
【発明の詳細な説明】
【０００１】
【発明の属する技術分野】
この発明は逆止弁に関し、詳しくはリーク機能付の逆止弁に関する。
【０００２】
【従来の技術】
従来、シャワーヘッド付の水栓において、シャワーヘッド（吐水部）からの吐水中に吐止水弁を閉じたとき、吐水中にシャワーヘッド側に篭った内圧が吐止水弁の側、つまり上流側に跳ね返る（逆流する）現象を生じ、これによりウォータハンマが惹起される問題が生じていた。
そこでシャワーヘッドに向う流路の途中、具体的にはシャワーホースの基端側に、シャワーヘッド側（下流側）から吐止水弁の側（上流側）への圧力の跳ね返りを防止する逆止弁を設けることが行われている。
【０００３】
ところでシャワーヘッド側からの逆流を完全に遮断する逆止弁を設けた場合、次のような問題の生ずることが判明した。
即ちこのような逆止弁を流路の途中に設けることで、止水時にシャワーヘッドからの圧力の跳ね返り（逆流）を防止できるものの、吐水時に流路内でシャワーヘッド側に向って流れていた水が止水時に慣性でそのままシャワーヘッド側に向って流れ、従って止水の際に逆止弁を閉弁させると、吐止水弁と逆止弁との間の部分で負圧を生じてしまい、その後に吐止水弁を再び開いたときにその負圧空間内に水が流れ込んで、その際に異音を発生させる問題のあることが判明した。
【０００４】
この問題に対処するため、図８に示すような逆止弁を用いることが考えられる。
図８に示す逆止弁は、例えば下記特許文献１に開示された公知のもので、図中２００は弁ケースであり、内部に弁体２０２と、弁座２０４と、弁体２０２を弁座２０４に向けて即ち閉弁方向に付勢する第一スプリング２０６と、可動筒２０８と、可動筒２０８を図中左向きに付勢する第二スプリング２１０とが組み込まれている。
【０００５】
弁体２０２は、弁板２１２及びその中心部から延び出した軸部２１４とを有しており、その軸部２１４に第一スプリング２０６が嵌装されていて、その一端が弁板２１２に当接させられ、弁板２１２を弁座２０４に着座させる向きに付勢している。
【０００６】
可動筒２０８は弁ケース２００の内面に、弁体２０２とともに移動可能（摺動可能）に嵌合されている。
この可動筒２０８には内面側に弁座２０４が設けられており、またその外面にはシール部材としてのＯリング２１６が装着されていて、そのＯリング２１６により、可動筒２０８と弁ケース２００内面との間が水密にシールされている。
【０００７】
この逆止弁の場合、流路２１８を上流側２１８Ａから下流側２１８Ｂに向って水が流れて来たとき、弁体２０２が開いて水の流れを許容する一方、下流側２１８Ｂから上流側２１８Ａに向う水の流れに対しては、弁体２０２が弁座２０４に着座して、即ち閉弁してその流れを阻止する。
但し下流側２１８Ｂの圧力が高いときには可動筒２０８が第二スプリング２１０の付勢力に抗して図中右方向に弁体２０２とともに移動し、これによって下流側２１８Ｂで高まった圧力を吸収緩和する。
【０００８】
【特許文献１】
実開昭５５−３４０３６号公報
【０００９】
【発明が解決しようとする課題】
しかしながらこの逆止弁にあっては、下流側２１８Ｂの圧力の高まりによって可動筒２０８が弁体２０２とともに図中右方向に移動すると、第二スプリング２１０の弾発力が可動筒２０８の移動に伴って高まるため、下流側２１８Ｂで高まった圧力を十分に吸収緩和できないといった問題があった。
【００１０】
以上シャワーヘッドからの圧力の跳ね返りによるウォータハンマの問題を例にとって説明したが、本発明は同様の現象を生じる他の装置についても共通して生じる問題である。
【００１１】
【課題を解決するための手段】
本発明のリーク機能付逆止弁は、このような課題を解決するために案出されたものである。
而して請求項１のものは、吐水部に向う流路の途中に、該吐水部からの逆流を阻止する向きに設けられる逆止弁であって、（イ）弁板及び該弁板の中心部から延び出した軸部を有する弁体と、（ロ）該弁板の外周部をシール部材を介して着座させ又は離間させる弁座と、（ハ）該弁板を前記弁座に着座させる閉弁方向に付勢する第一スプリングと、を有し、該弁板の外周部若しくは該弁座には、該弁板若しくは該弁座を軸方向に貫通する切欠部が設けられていて、該切欠部が、前記弁体より前記吐水部側の下流側から該弁体より上流側に圧力を逃すリーク部を成していることを特徴とする。
【００１２】
請求項２のものは、吐水部に向う流路の途中に、該吐水部からの逆流を阻止する向きに設けられる逆止弁であって、（イ）弁板及び該弁板の中心部から延び出した軸部を有する弁体と、（ロ）該弁板の外周部をシール部材を介して着座させ又は離間させる弁座と、（ハ）該弁板を前記弁座に着座させる閉弁方向に付勢する第一スプリングと、（ニ）弁ケースの内面にシール部材を介して軸方向に摺動可能に嵌合し、内面側に前記弁座の設けられた可動筒と、（ホ）該可動筒を前記吐水部側とは反対側の下流側に向けて付勢する第二スプリングとを有し、前記弁ケースの内面には径方向外方に凹陥する凹部が設けてあって該凹部が、前記弁体より前記吐水部側の下流側から該弁体より上流側に圧力を逃すリーク部を成していることを特徴とする。
【００１３】
請求項３のものは、請求項２において、前記リーク部を成す凹部が、前記可動筒が所定位置まで前進移動した時点で前記シール部材に対し径方向に対向する位置に設けてあることを特徴とする。
【００１４】
請求項４のものは、請求項２，３の何れかにおいて、前記凹部が周方向に環状を成す環状溝であることを特徴とする。
【００１５】
請求項５のものは、請求項１〜４の何れかにおいて、前記逆止弁が吐止水操作部の操作に基づいて前記吐水部からの吐水と止水を行うための吐止水弁の下流部に設けてあり、該吐止水弁の止水作動後において前記吐水部側である下流側からの逆流防止とリークとを行うものであることを特徴とする。
【００１６】
請求項６のものは、請求項５において、前記吐水部がシャワーヘッドであり、前記逆止弁がシャワーホースの基端側に設けてあることを特徴とする。
【００１７】
【作用及び発明の効果】
以上のように本発明は、弁板の外周部若しくは弁座に切欠部を設け、その切欠部にて、弁体より吐水部側の下流側から弁体より上流側に圧力を逃すリーク部と成したもので、本発明によれば、弁体より下流側の圧力を弁体より上流側へと良好にリークさせる（逃す）ことができる。
従って弁体より上流側の水が慣性によって下流側へと流れ、これにより弁体より上流側で発生する負圧を良好に回避することが可能である。
【００１８】
次に請求項２のものは、弁ケースの内面にシール部材を介して軸方向に摺動可能に嵌合し、内面側に弁座の設けられた可動筒を配設して、これを第二スプリングにて下流側に向け付勢するとともに、弁ケースの内面に径方向外方に凹陥する凹部を設け、その凹部にて、弁体より下流側から上流側へと圧力を逃すリーク部を構成したもので、このようになした場合においても弁体より上流側に負圧が発生するのを良好に回避することが可能である。
【００１９】
ここで上記リーク部を成す凹部は、可動筒が所定位置まで前進移動した時点でシール部材に対し径方向に対向する位置に設けておくことができる（請求項３）。
このようになした場合、当初は下流側から上流側への逆流を防止し、シール部材が凹部に対向する位置に来たところでそこで初めてリークを生ぜしめることができる。
この場合において凹部は周方向に環状を成す環状溝と成しておくことができる（請求項４）。
【００２０】
本発明は、吐止水操作部の操作に基づいて流路を開閉し、吐水と止水を行う吐止水弁と吐水部との間の位置に設けられて、吐水部側である下流側からの逆流防止とリークとを行う逆止弁に適用して特に好適なものである（請求項５）。
【００２１】
また本発明はその吐水部がシャワーヘッドである場合に適用して好適であり（請求項６）、この場合において逆止弁をシャワーホースの基端側に設けておくことができる。
【００２２】
【実施例】
次に本発明をカウンタ一体型埋込水栓に適用した場合の実施例を図面に基づいて詳しく説明する。
図１において、１０はそのカウンタ一体型埋込水栓で、１２はカウンタ、１４はカバーである。
図１から明らかなように、この例ではカウンタ１２はカバー１４よりも左右長が長く、左端側及び右端側がそれぞれカバー１４より左側及び右側に延出した形態をなしている。
【００２３】
１６はカバー１４の左右方向略中央位置において、カバー１４から露出して下向きに突出した吐水口で、１８は吐水口１６の左側にカバー１４から露出してその前面に設けられた温調ハンドル（温度調節ハンドル）、２０は吐水口１６の右側にカバー１４から露出してその前面に設けられた切替ハンドルである。
【００２４】
切替ハンドル２０は、吐水口１６からの吐水と後述のシャワーヘッド２８からの吐水を切替操作する部分である。
この切替ハンドル２０はまた、吐止水及び水量調節を行うための吐止水操作部も兼ねている。
【００２５】
２６はシャワーホースで、その先端にシャワーヘッド２８が接続されている。
２２はカバー１４の下面に設けられた点検口で、２４は点検口蓋である。この点検口蓋２４はカバー１４の一部を構成している。
【００２６】
図２に示しているように、カバー１４は前面カバー部３２及び左右一対の側面カバー部３４を有している。
カバー１４は、上記カウンタ１２とともに内部に収納空間を形成しており、その収納空間に温調機能部３６，切替機能部３８を含む水栓機構部４０が各種配管とともに収納されている。
【００２７】
ここで温調機能部３６は収納空間内において図２中右側端部、即ち正面から見て左側端部に配置されており、また切替機能部３８は収納空間内において図２中左側端部、即ち正面から見て右側端部にそれぞれ互いに離隔して配置されている。
図２中３０は、この収納空間に収納された水栓機構部４０と各種配管及びカバー１４とから成る水栓ユニットを表している。
【００２８】
収納空間にはまた、水側の壁出し止水栓（以下単に止水栓とする）４２及び湯側の壁出し止水栓（以下単に止水栓とする）４４が、温調機能部３６と切替機能部３８との間の位置において収納されている。
これら止水栓４２，４４は収納空間内において縦向きに配向されており、その下部には回転ハンドル式の操作部５４が設けられていて、それら操作部５４が点検口２２に臨んで位置している。
【００２９】
ここで止水栓４２，４４の下部からは後向きに接続管４６がそれぞれ延び出していて、それら接続管４６が、取付壁Ｗの裏側の元管に別の接続管を介して接続されるようになっている。
各止水栓４２，４４の上部からは内部給水配管４８，内部給湯配管５０がそれぞれ前方に延び出している。
【００３０】
これら内部給水配管４８，内部給湯配管５０は、それぞれ一旦前方に延び出した後、湾曲して後方向きに向きを変化させ、その後横向きに延出した後、更に温調機能部３６近傍で再びその向きを前方に湾曲して変化させ、各先端部が更に下向きに向きを変えてそれぞれ図２中右側の温調機能部３６の上端に接続されている。
即ち止水栓４２，４４を経由した水と湯とが、それぞれ温調機能部３６に流入し、そこで温調ハンドル１８の回転操作に基づいて所定比率で混合されるようになっている。
【００３１】
この温調機能部３６と切替機能部３８とは、それらの後側において内部連絡配管５２で接続されている。
ここで内部連絡配管５２は温調機能部３６から後向きに突き出した後湾曲して横向き、即ち接続管４６の下側を通って左右方向に延出し、そして切替機能部３８の後側で再び向き前方側に変化させてその先端部が切替機能部３８の後部に接続されている。
温調機能部３６からの混合水はこの内部連絡配管５２を通じて切替機能部３８へと導かれる。
ここで切替機能部３８に内蔵された弁は、吐水口１６からの吐水とシャワーヘッド２８からの吐水を切り替える切替弁としての機能の外、それら吐水口１６，シャワーヘッド２８からの吐止水及び水量調節を行う吐止水弁としての機能を有している。
【００３２】
切替機能部３８の側部からは吐水口１６用の内部配管５６及びシャワー用の内部配管５８が延び出しており、その一方が上記の吐水口１６に、また他方が上記のシャワーホース２６に接続されている。
尚この例では、シャワー用の内部配管５８が図２中右側、即ち使用者から見て左側に延び出してカバー１４より外側へと突き出しているが、シャワーヘッド２８がカバー１４の右側に配置される場合においては、シャワー用の内部配管５８を切替機能部３８から出た後右向き（使用者から見て右向き）に向きを変化させて、カバー１４より右側の外部にこれを突き出すようになすこともできる。
【００３３】
６６は水栓ユニット３０、具体的にはカバー１４を取付壁Ｗに固定するためのバックハンガ金具で、掛止部６８と固定部７０とを有しており、その固定部７０においてねじ７２により取付壁Ｗに固定されるようになっている。
そしてその掛止部６８に対し、カバー１４に固定のブラケット６０が掛止されるようになっている。
【００３４】
ここでブラケット６０には掛止穴６２が設けられており、その掛止穴６２においてバックハンガ金具６６の掛止部６８に掛止されるようになっている。
尚、ブラケット６０にはその上部に締結孔６４が設けられており、その締結孔６４において、バックハンガ金具６６の上端部の水平な締結片７４とねじにて締結されるようになっている。
ここでバックハンガ金具６６とブラケット６０とは水栓ユニット専用固定具を成している。
カバー１４の左，右両側にはカウンタ固定用のブラケットが配置されていてそれらが壁Ｗに固定され、それらブラケットによって、カウンタ１２がカバー１４の上面を閉鎖する状態で壁Ｗに固定されている。
【００３５】
図１の点検口蓋２４には、その内面に鏡面状のメッキが施されており、点検口蓋２４を開いた状態で、点検口２２を下から上向きに覗き込まなくても止水栓４２，４４の操作部５４，５４が点検口蓋２４の内面に映るようになっている（点検口蓋２４は後端部を中心として回動可能となっている）。
即ち点検口蓋２４の内面に映った操作部５４を正面から目で見て確認しながら、それら操作部５４を操作することができる。
【００３６】
上記カバー１４から外部に突き出したシャワー用の内部配管５８の先端部は接続具５９，７５，７６，７８（図１，図２参照）を介して可撓性のシャワーホース２６に接続されている。
而して本例ではシャワーホース２６の基端側、具体的には接続具７５の内部に、リーク機能付逆止弁（以下単に逆止弁と略す）７９（図３参照）が組み込まれている。
図３，図４及び図５にその逆止弁７９の具体的構成が示してある。
【００３７】
図３において、８０は接続具７５の一部にて構成された弁ケースで、その内部に固定筒８２が、更にその内部に弁体８４が収容されている。
ここで固定筒８２は、図３中左右方向に固定状態で設けられている。
【００３８】
固定筒８２の図３中右端部には、周方向に環状を成す弁座８６が径方向内方に突出する状態で設けられており、また同じく右端部の外面にはシール部材としてのＯリング８８が装着されており、そのＯリング８８によって、固定筒８２と弁ケース８０の内面との間が水密にシールされている。
【００３９】
弁体８４は、弁板９０とその中心部から延び出した軸部９４とを有しており、その弁板９０がシール部材としてのＯリング９２を介して弁座８６に着座し、またはこれから離間することで水路の開閉が行われるようになっている。
即ち弁体８４の開閉によって水路が開放，遮断されるようになっている。
【００４０】
一方弁軸９４はガイド部材９６のガイド筒９８内に摺動可能に嵌合しており、弁体８４の移動時にこのガイド部材９６によって移動案内されるようになっている。
尚、弁体８４は流路１００における上流側１００Ａから下流側１００Ｂに向う流れを許容し、その逆方向の流れを抑制する向きで配設されている。
この弁体８４には第一スプリング１０２の一端部が当接させられており、弁体８４がこの第一スプリング１０２によって閉弁方向、即ち弁板９０を弁座８６に当接させる向きに付勢されている。
【００４１】
この例において、図３及び図５に示すように弁板９０には外周部に弁板９０を図３中左右方向に貫通する形態で切欠部１０４が設けられており、かかる切欠部１０４が、弁体８４の閉弁後において下流側１００Ｂから上流側１００Ａへと圧力を逃すリーク部を成している。
【００４２】
本例においては、切替操作部２０を開操作してシャワーヘッド２８からシャワー吐水すると、図３に示しているように弁体８４が弁座８６から図３中左方向に離間して即ち開弁して、切替機能部３８即ち吐止水弁の側からシャワーヘッド２８への水（混合水）の流れを許容し、ここにおいてシャワーヘッド２８からのシャワー吐水が行われる。
一方その後において切替ハンドル２０を閉操作すると、切替機能部３８における弁（吐止水弁）が閉じて、切替機能部３８の上流側からの、即ち内部連絡配管５２からの水の供給を遮断する。
【００４３】
このときシャワー用の内部配管５８及びシャワーホース２６においては、内部の水が慣性力で引き続きシャワーヘッド２８側に流れる。
図３において弁体８４はその後においてシャワーヘッド２８側で高まった内圧により閉弁作動し（図６参照）、シャワーヘッド２８側から切替機能部３８側、つまり吐止水弁側に圧力の跳ね返りが生ずるのを防止する働きをなす。
但しこのとき、逆止弁７９における弁体８４がシャワーヘッド２８側から切替機能部３８の吐止水弁側への流れを完全に遮断してしまうと、逆止弁７９と切替機能部３８の弁との間で流路１００内に負圧が発生してしまう。
【００４４】
従って次にシャワー吐水させるべく切替ハンドル２０を開操作して、切替機能部３８の弁を開き、その上流側の水、具体的には内部連絡配管５２からの水をシャワー用の内部配管５８内に流入させたとき、同部分がそのとき負圧状態となっているためそこで異音を発生させてしまう。
【００４５】
しかるに本例では、弁体８４の弁板９０に切欠部１０４が設けられていて、その切欠部１０４がリーク部を成しているため、図６に示しているように逆止弁７９の下流側１００Ｂから上流側１００Ａへと圧力がリークできる。即ちシャワーヘッド２８側から逆止弁７９を経由して切替機能部３８側に圧力がリークできる。これにより逆止弁７９の上流側１００Ａにおいて、即ち逆止弁７９と切替機能部３８の弁との間の部分（内部配管５８の部分）で負圧が発生するのが回避される。
【００４６】
従って次にシャワー吐水させるべく切替ハンドル２０を開操作して、内部連絡配管５２からの水をシャワー用の内部配管５８側に流入させたときに異音が発生するのが良好に防止される。
【００４７】
尚この例では、弁体８４における弁板９０に切欠部１０４を設けているが、場合によって弁座８６に切欠部を設け、かかる切欠部を以ってリーク部と成すことも可能である。
【００４８】
次に図７は本発明の他の実施例を示している。
この例は弁ケース８０の内面に、可動筒１０６をシール部材としてのＯリング８８を介して図７中左右方向、即ち軸方向に摺動可能に水密に嵌合し、かかる可動筒１０６とともに弁体８４を移動可能となすとともに、その可動筒１０６を第二スプリング１０８によって図７（Ａ）中左向き、つまり下流側に向けて付勢したものである。
【００４９】
この例ではまた、可動筒１０６が図７（Ａ）中右方向に所定距離前進移動したところでＯリング８８に対向するように、弁ケース８０の内面に環状溝１１０を設けている。
詳しくは、径方向外方に凹陥する形態で周方向に連続した環状を成す環状溝１１０を設けている。
【００５０】
そしてこの環状溝１１０を以って、下流側１００Ｂから上流側１００Ａへと圧力を逃すリーク部と成している。
即ちこの例では、可動筒１０６が図７（Ａ）中右方向に前進移動してＯリング８８が環状溝１１０の位置に到ると、図７（Ｂ）に要部を拡大して示すようにそこにおいてＯリング８８によるシールが解除された状態となって、環状溝１１０を通じ、下流側１００Ｂから上流側１００Ａへの圧力のリークがなされる。
この例においても、環状溝１１０から成るリーク部に、上記第一の実施例の切欠部１０４から成るリーク部と同様の働きを行わせることが可能である。
【００５１】
以上本発明の実施例を詳述したがこれはあくまで一例示である。
例えば本発明の図７に示す実施例において、環状溝１１０を設けるのに代えて周方向所定箇所で径方向外方に凹陥する凹部を部分的に設け、その凹部を以ってリーク部と成すといったことも可能である。
また本発明はシャワーヘッド以外の吐水部からの吐水を行う水栓その他において適用することも可能であるなど、本発明はその趣旨を逸脱しない範囲において種々変更を加えた形態で構成可能である。
【図面の簡単な説明】
【図１】本発明の一実施例であるリーク機能付逆止弁を有するカウンタ一体型埋込水栓の正面図である。
【図２】同実施例の水栓におけるカバー内部の構造を後側から見た斜視図である
【図３】図１の実施例におけるリーク機能付逆止弁の図である。
【図４】図３の逆止弁の分解斜視図である。
【図５】図３のア−ア断面図である。
【図６】同逆止弁の図３とは異なった作用状態を示す図である。
【図７】本発明の他の実施例の逆止弁の図である。
【図８】従来のリーク機能付逆止弁の図である。
【符号の説明】
２６  シャワーホース
２８  シャワーヘッド
７９  リーク機能付逆止弁
８０  弁ケース
８４  弁体
８６  弁座
８８，９２  Ｏリング
９０  弁板
９４  弁軸
１００  流路
１００Ａ  上流部
１００Ｂ  下流部
１０２  第一スプリング
１０４  切欠部
１０６  可動筒
１０８  第二スプリング
１１０  環状溝
【図１】
2004176873.tif 000003
【図２】
2004176873.tif 000004
【図３】
2004176873.tif 000005
【図４】
2004176873.tif 000006
【図５】
2004176873.tif 000007
【図６】
2004176873.tif 000008
【図７】
2004176873.tif 000009
【図８】
2004176873.tif 000010